(57)【要約】【課題】梁型枠の軽量化、梁型枠施工の簡略化および施工コスト低減を図ることのできる鉄筋コンクリート構造物の施工方法を提供する。【解決手段】この鉄筋コンクリート構造物の施工方法は、梁１０の底部をプレキャスト版１１から構成し、プレキャスト版は、梁下端に位置する梁主筋１３とせん断補強筋１４とを組み込んで構成され、プレキャスト版にメッシュ部材２１，２２を配置することで梁型枠を構成し、メッシュ部材をスラブ上面位置まで立ち上げるようにして梁型枠を構成することで梁コンクリートとスラブコンクリートとの打ち分けを可能とし、梁型枠を柱にセットし、梁型枠へのコンクリート打設により形成した梁に梁型枠のメッシュ部材を残存させる。【選択図】図１
2015161070.tif 000002
【特許請求の範囲】
【請求項１】
梁の底部をプレキャスト版から構成し、
前記プレキャスト版は、梁下端に位置する梁主筋とせん断補強筋とを組み込んで構成され、
前記プレキャスト版にメッシュ部材を配置することで梁型枠を構成し、
前記メッシュ部材をスラブ上面位置まで立ち上げるようにして前記梁型枠を構成することで梁コンクリートとスラブコンクリートとの打ち分けを可能とし、
前記梁型枠を柱にセットし、
前記梁型枠へのコンクリート打設により形成した梁に前記梁型枠のメッシュ部材を残存させることを特徴とする鉄筋コンクリート構造物の施工方法。
【請求項２】
前記プレキャスト版を柱にセットする前に、前記プレキャスト版に梁上端の主筋を予め前記せん断補強筋の内側に挿入しておく請求項１に記載の鉄筋コンクリート構造物の施工方法。
【請求項３】
構造物外周部に対応する梁型枠は、前記プレキャスト版に外周側の側板として設置される予め板状に成形されたオムニア版と、前記オムニア版の対面に位置する前記メッシュ部材と、を有し、前記オムニア版と前記メッシュ部材とをセパレータで連結する請求項１または２に記載の鉄筋コンクリート構造物の施工方法。
【発明の詳細な説明】
【技術分野】
【０００１】
本発明は、鉄筋コンクリート構造物の施工方法に関する。
【背景技術】
【０００２】
鉄筋コンクリート（ＲＣ）構造物の躯体工事は、次のような従来工法により行われていた。（１）在来型枠工法、（２）ユニット型枠工法、（３）ハーフプレキャスト（ＰＣａ）工法、（４）外殻プレキャスト工法
【０００３】
（１）在来型枠工法
RCラーメン構造の柱・梁ともに柱筋建込み後に在来型枠工法で組み立て、柱梁接合部については、柱首上と梁の仕口が取り合うように支保材ともに型枠を組み立てる。梁型枠組立て後に、梁筋を当該位置で組み立て、スラブ型枠をスラブ下からサポートで支持しながら組み立て、最後にスラブ筋を配筋する。型枠工事終了後に、柱・梁・接合部・スラブと同時に１層分のコンクリートを打設するのが一般的である。その場合、柱型枠は外周を囲う形状で支保工を施し、梁下とスラブ下は伸縮式のサポートで所定の位置に支持する。
【０００４】
（２）ユニット型枠工法
柱型枠は、柱形の外周を締め付けるコラムクランプと面版をボックス形状に組み上げたものを揚重・移動して設置する。梁型枠は、梁底板と側板が一体となった形状で、両者はクランプとセパレータで一体化され、建て込みは梁底にサポートを置いて、高さ位置を調整しながら固定する。ユニット型枠の場合、床スラブはハーフ床版を適用する場合がほとんどであり、スラブ下端を厚さ60〜80mm程度のプレキャスト部材とし、上端は梁部分と同時にコンクリートを打設する。
【０００５】
（３）ハーフプレキャスト（PCa）工法
本工法は、主に梁とスラブに適用される場合が多い。この場合、柱型枠は、在来工法、ユニット型枠工法、フルプレキャスト工法のいずれでも適用が可能である。梁は、梁底と側板がプレキャストとなり、通常は梁下端主筋とせん断補強筋が組み込まれ、上端主筋のみ後施工となる。
【０００６】
（４）外殻プレキャスト工法
部位の組合せとしては、柱、梁を外殻プレキャストとし、スラブをハーフプレキャストとするか、どちらか一方のみを外殻プレキャストとすることもできる。この工法の場合、せん断補強筋は外殻部に組み込まれているが、主筋は柱、梁とも後施工となる。また、後打ちコンクリートも、柱中央と梁中央を打ち込む必要があり、打設量も在来工法の50％以上となり、コンクリート工事量自体はそれほど低減しない。
【発明の概要】
【発明が解決しようとする課題】
【０００７】
プレキャスト（PCa）工法の有利さは、現場での型枠・鉄筋工事量の低減、工期短縮、躯体品質の確保に集約することができる。ここで、梁型枠に着目した場合、PCa化として、梁上端残しのハーフPCa工法、または、PCa部にせん断補強筋のみ組み込む外殻PCa工法の２通りが考えられる。しかし、前者は、スパン分の梁荷重が最大揚重負荷となり、全体の工事費を大幅に押し上げる結果となる。後者は、外殻部のみコンクリートで構成されるため、荷重はハーフPCaの50％程度となり、揚重の負荷ははるかに低減するが、底面と側面のコンクリートを別々に打設するため、手間と時間を要し、製作費はハーフPCa工法を上回ることになる。このため、両工法とも、コスト面を大幅に押し上げることになる。
【０００８】
本発明は、上述のような従来技術の問題に鑑み、梁型枠の軽量化、梁型枠施工の簡略化および施工コスト低減を図ることのできる鉄筋コンクリート構造物の施工方法を提供することを目的とする。
【課題を解決するための手段】
【０００９】
上記目的を達成するための鉄筋コンクリート構造物の施工方法は、梁の底部をプレキャスト版から構成し、前記プレキャスト版は、梁下端に位置する梁主筋とせん断補強筋とを組み込んで構成され、前記プレキャスト版にメッシュ部材を配置することで梁型枠を構成し、前記メッシュ部材をスラブ上面位置まで立ち上げるようにして前記梁型枠を構成することで梁コンクリートとスラブコンクリートとの打ち分けを可能とし、前記梁型枠を柱にセットし、前記梁型枠へのコンクリート打設により形成した梁に前記梁型枠のメッシュ部材を残存させることを特徴とする。
【００１０】
この鉄筋コンクリート構造物の施工方法によれば、梁下端に位置する梁主筋とせん断補強筋とを組み込んだプレキャスト版とメッシュ部材とにより梁型枠を構成したので、梁底部においてプレキャストによる利点（現場での型枠・鉄筋工事量の低減、工期短縮、躯体品質の確保）を得ながら、梁型枠を軽量化することができるとともに梁型枠の施工現場での施工がほとんど不要となり、また、梁型枠のメッシュ部材を梁に残存させるので、型枠撤去工程を省略できる。このようにして、施工コストの削減を実現できる。また、メッシュ部材をスラブ上面位置まで立ち上げるようにすることで梁コンクリートとスラブコンクリートとの打ち分けが可能であるので、梁コンクリートとスラブコンクリートとの強度が異なる場合に容易に対応することができる。
【００１１】
上記鉄筋コンクリート構造物の施工方法において、前記プレキャスト版を柱にセットする前に、前記プレキャスト版に梁上端の主筋を予め前記せん断補強筋の内側に挿入しておくことが好ましい。
【００１２】
また、構造物外周部に対応する梁型枠は、前記プレキャスト版に外周側の側板として設置される予め板状に成形されたオムニア版と、前記オムニア版の対面に位置する前記メッシュ部材と、を有し、前記オムニア版と前記メッシュ部材とをセパレータで連結することが好ましい。
【発明の効果】
【００１３】
本発明の鉄筋コンクリート構造物の施工方法によれば、梁型枠の軽量化、梁型枠施工の簡略化および施工コスト低減を図ることができる。
【図面の簡単な説明】
【００１４】
【図１】本実施形態による梁を長手方向に直交する方向に切断してみた断面図である。
【図２】図１の梁をコンクリート打設するための梁型枠の断面図である。
【図３】本実施形態による構造物外周部における梁の図１と同様の断面図である。
【図４】図３の梁のための梁型枠の断面図である。
【図５】本実施形態による鉄筋コンクリート構造物の施工工程を説明するためのフローチャートである。
【図６】図５のプレキャスト版・型枠の設置工程Ｓ０３を説明するために鉄筋コンクリート構造物の柱と梁とを概略的に示す斜視図である。
【発明を実施するための形態】
【００１５】
以下、本発明を実施するための形態について図面を用いて説明する。図１は本実施形態による梁を長手方向に直交する方向に切断してみた断面図、図２は図１の梁をコンクリート打設するための梁型枠の断面図である。
【００１６】
図１のように、本実施形態の梁１０は、梁底部に配置されたプレキャスト版１１と、プレキャスト版１１の上部に後打ちされた梁コンクリート部１２と、を備え、さらに、梁筋として、梁下端に位置し梁長手方向に延びる梁主筋１３と、梁上端に位置し梁長手方向に延びる梁主筋１５と、略長方形状に一巻きされた状態で梁長手方向に多数配置されるせん断補強筋１４と、を備える。
【００１７】
プレキャスト版１１は、梁下端に位置する梁主筋１３とせん断補強筋１４とをコンクリートに組み込んで構成されている。梁下端に位置する梁主筋１３は、せん断補強筋１４の内側に配置されてプレキャスト版１１に組み込まれているが、梁上端に位置する梁主筋１５は、せん断補強筋１４の内側に予め挿入されて、施工現場で所定位置に位置決めされ接合されてから、コンクリート打設されて梁コンクリート部１２が形成される。
【００１８】
プレキャスト版１１の厚さ（高さ）ａは、梁下端に一列に並んで位置する梁主筋１３に対してせん断補強筋１４から所定の厚み（かぶり）を有する程度であり、梁１０の全体高さＨに比べるとかなり薄くなっている。
【００１９】
なお、実際に梁を架設する際に、プレキャスト版１１は、薄く構成されても、後述のように、梁側面のメッシュ部材と梁型枠として一体になった状態で吊り上げられるので、耐力的な問題は生じない。
【００２０】
図１の梁１０のための梁型枠２０は、図２のように、梁１０の長手方向の両側面に沿って延びるようにメッシュ部材２１，２２がプレキャスト版１１の上に配置されて構成されている。メッシュ部材２１，２２は、たとえば、鋼製のエキスパンドメタルから構成でき、そのメッシュの目は、コンクリート打設時にノロが漏出しない程度とされる。
【００２１】
メッシュ部材２１，２２の間にセパレータ２３を所定間隔で設置し、メッシュ部材２１，２２を固定し、剛性を確保する。また、プレキャスト版１１の長手方向の両端下部にもセパレータ２３ａを設置する。
【００２２】
メッシュ部材２１，２２は、図１のように、その上端２１ａ、２２ａがスラブ５０の上面位置と一致するように配置され、これにより、梁コンクリートと、スラブコンクリートとの打ち分けが可能になっている。
【００２３】
梁型枠２０は、メッシュ部材２１，２２から軽量のメッシュ型枠に構成され、メッシュ部材２１，２２が図１のようにコンクリート打設後に梁１０の側面に残る残存型枠になっている。このため、梁型枠２０は、軽量に構成されかつコンクリート打設後の型枠撤去工程が省略可能となる。
【００２４】
図３は本実施形態による構造物外周部における梁の図１と同様の断面図、図４は図３の梁のための梁型枠の断面図である。
【００２５】
図３のように、構造物の外周部における梁１０Ａは、図２と同様のプレキャスト版１１の上にオムニア版３２が梁長手方向に延びて設置されている。オムニア版３２は、予め板状に成形され仕上材と型枠兼用の薄いプレキャスト版から構成され、構造物の外周側の側板となっている。
【００２６】
図３の構造物外周部の梁１０Ａのための梁型枠３０は、図４のように、構造物の外周面側のオムニア版３２と、オムニア版３２の対面に位置するメッシュ部材３１とを有し、オムニア版３２とメッシュ部材３１とがプレキャスト版１１の上に設置される。オムニア版３２とメッシュ部材３１とをセパレータ２３，２３ａで連結している。梁型枠３０は、メッシュ部材３１により片側がメッシュ型枠、残存型枠となって、メッシュ部材３１が梁１０Ａに残る。
【００２７】
メッシュ部材３１は、図１，図２と同様に、その上端３１ａがスラブ５０の上面位置に一致するように配置されることで、梁コンクリートと、スラブコンクリートとの打ち分けを可能としている。
【００２８】
次に、本実施形態による鉄筋コンクリート構造物の施工工程について図５，図６を参照して説明する。図５は、本実施形態による鉄筋コンクリート構造物の施工工程を説明するためのフローチャートである。図６は、図５のプレキャスト版・型枠の設置工程を説明するために鉄筋コンクリート構造物の柱と梁とを概略的に示す斜視図である。なお、図６では、メッシュ部材や挿入した梁主筋や梁の側面から突き出た主筋の図示を省略している。
【００２９】
本実施形態による鉄筋コンクリート構造物の施工工程についてプレキャストからなる（Ｎ−１）階の柱Ｃが建て込まれている段階から説明する。まず、予め工場等において、図２のようにプレキャスト版１１にメッシュ部材２１，２２をセパレータ２３により固定することで梁型枠２０を作製しておく（Ｓ０１）。
【００３０】
また、梁型枠２０には、プレキャスト版１１の表面から突き出ている多数のせん断補強筋１４の内側に梁上端の主筋１５を挿入しておく（Ｓ０２）。
【００３１】
図６のように、（Ｎ−１）階の柱Ｃと柱Ｃの間に、プレキャスト版１１とメッシュ部材２１，２２とから構成される梁型枠２０をクレーンによりワイヤーロープＷで吊り上げてセットし設置する（Ｓ０３）。
【００３２】
次に、プレキャスト版１１の両端から突き出ている梁下端の主筋１３を、柱と梁との柱梁接合部内で、柱Ｃを挟んで隣接する梁のプレキャスト版の主筋と接合する（Ｓ０４）。
【００３３】
次に、プレキャスト版１１の上方に位置する梁上端の主筋１５（図１，図２）を所定位置に結束し、隣接する梁のプレキャスト版の主筋と所定位置で接合する（Ｓ０５）。
【００３４】
次に、柱梁接合部で配筋をし、型枠を組み立てる（Ｓ０６）。次に、ハーフプレキャストからなるスラブを取り付ける（Ｓ０７）。次に、梁上端およびハーフプレキャストスラブの上に配筋をする（Ｓ０８）。
【００３５】
次に、柱梁接合部にコンクリートを打設し（Ｓ０９）、図２の梁型枠２０にコンクリートを打設し（Ｓ１０）、スラブにコンクリートを打設する（Ｓ１１）。
【００３６】
梁型枠２０へのコンクリート打設により、図１のように、梁コンクリート部１２が形成され、梁１０がメッシュ部材２１，２２を残存した状態で完成する。
【００３７】
本実施形態によれば、梁１０のプレキャスト版１１を薄く構成しかつ梁型枠２０をメッシュ型枠とすることで、プレキャスト版１１を含む梁型枠２０の軽量化を実現できるので、クレーンによる梁型枠２０の揚重負荷を低減できる。また、梁型枠２０を予め工場等で作製できるので、梁型枠２０の施工現場での施工作業がほとんどなく、また、梁完成のためのコンクリート打設は１回で済み、さらに、型枠撤去工程も不要である。このようにして、梁に関し、施工が簡略化でき、施工コストを低減できる。
【００３８】
また、上記打設工程Ｓ１０，Ｓ１１において、梁コンクリートとスラブコンクリートとの打ち分けが可能であるので、梁コンクリートの強度とスラブコンクリートの強度とが異なる場合にも対応することができる。
【００３９】
なお、上記打設工程Ｓ１０，Ｓ１１は、梁コンクリートの強度とスラブコンクリートの強度とが同じ場合は、同時に実施することができる。
【００４０】
梁施工の省力化のために、従来、ハーフPCa（プレキャスト）化（上端後打ち）や外殻PCa化などのPCa工法が採用されてきたが、前者は、梁荷重が大きく施工コスト増大の問題があり、また、後者は、型枠工事が残るため、施工コストが同様に増大してしまう問題を有していたのに対し、本実施形態によれば、梁型枠の軽量化を実現し、また、梁型枠の現場施工がほとんど不要で、さらに、型枠撤去工程も不要であるため、施工の簡略化および施工コストの低減を実現できる。
【００４１】
以上のように本発明を実施するための形態について説明したが、本発明はこれらに限定されるものではなく、本発明の技術的思想の範囲内で各種の変形が可能である。たとえば、図５では、図１，図２の梁の一般部分について説明したが、図３，図４の梁の外周部についても図５と基本的に同様の工程で施工可能である。
【産業上の利用可能性】
【００４２】
本発明の鉄筋コンクリート構造物の施工方法によれば、揚重負荷と工費、工期に大きな影響を及ぼす梁の施工において、梁型枠の軽量化、施工の簡略化および施工コストの低減を達成することができる。
【符号の説明】
【００４３】
１０、１０Ａ 梁
１１ プレキャスト版
１２ 梁コンクリート部
１３ 梁下端の梁主筋
１４ せん断補強筋
１５ 梁上端の梁主筋
２０ 梁型枠
２１，２２ メッシュ部材
２３，２３ａ セパレータ
３０ 梁型枠
３１ メッシュ部材
３２ オムニア版
５０ スラブ
Ｃ 柱
【図１】
2015161070.tif 000003
【図２】
2015161070.tif 000004
【図３】
2015161070.tif 000005
【図４】
2015161070.tif 000006
【図５】
2015161070.tif 000007
【図６】
2015161070.tif 000008